(57)【特許請求の範囲】
【請求項１】
上縁側側面に設けられ棚板８を載置する棚板載置側面部７４と、棚板載置側面部７４に設けられ棚板８を取り付ける棚板取付部７３と、支柱２に設けられた複数の係合孔２１Ａに着脱自在に取り付け可能な支柱取付部７２とを備えるとともに、棚板８の水平支持及び傾斜支持を選択可能に構成された棚板用ブラケット７であって、
棚板取付部７３は、棚板８の取付位置を変更可能な複数の溝部からなり、
支柱取付部７２は、支柱２の上下方向に所定間隔離間して設けられた第１係止爪７２１、第２係止爪７２２及び第３係止爪７２３の３つの係止爪を備えており、
第１係止爪７２１には、係合孔２１Ａの各下端縁に係合させるための２つの溝７２１Ａ，７２１Ｂが設けられ、第２係止爪７２２には、係合孔２１Ａの各下端縁に係合させるための１つの溝７２２Ａが設けられ、第３係止爪７２３には、係合孔２１Ａの各下端縁に係合させるための２つの溝７２３Ａ，７２３Ｂが設けられており、
支柱２と対向する側面には、第１係止爪７２１の上方に形成された第１対向面７２Ａ、第１対向面７２Ａと面一であるとともに第１係止爪７２１と第２係止爪７２２間に形成された第２対向面７２Ｂ、第２係止爪７２２と第３係止爪７２３間に形成された第３対向面７２Ｃ、第３対向面７２Ｃと面一であるとともに第３係止爪７２３の下方に形成された第４対向面７２Ｄを備えており、
棚板載置側面部７４は第１対向面７２Ａに対し垂直に設けられており、
第３対向面７２Ｃは第２対向面７２Ｂに対し、支柱２から離間する方向に傾斜しており、
棚板８を水平支持する際には第１対向面７２Ａと第２対向面７２Ｂとが支柱２に当接するとともに、第１係止爪７２１の溝７２１Ｂと第２係止爪７２２の溝７２２Ａと第３係止爪７２３の溝７２３Ａにより支柱２に係止され、棚板２を傾斜支持する際には第３対向面７２Ｃと第４対向面７２Ｄとが支柱２に当接するとともに、第１係止爪７２１の溝７２１Ａと第２係止爪７２２の溝７２２Ａと第３係止爪７２３の溝７２３Ｂにより支柱２に係止されるように構成されていること
を特徴とする棚板用ブラケット７。
【請求項２】
請求項１に記載の棚板用ブラケット７を備えたことを特徴とする商品陳列装置１。
【請求項３】
棚板２の前方側には載置した商品が落下をするのを防止するための欄干９が取り付けられていることを特徴とする請求項２に記載の商品陳列装置１。
【請求項４】
棚板８の前方側には欄干９を取り付けるための複数の取付孔８３Ａを備えており、欄干９には取付孔８３Ａの個数に対応し先端側が取付孔８３Ａに挿入される複数の取付軸部９２を備えており、取付孔８３Ａの下方側には欄干９を挿入した際に取付軸部９２の先端側を受ける部材であって、取付軸部９２の先端側を受けることにより欄干９がぐらつくのを防止する欄干受プレート８３を備えていることを特徴とする請求項３に記載の商品陳列装置１。
【発明の詳細な説明】
【技術分野】
【０００１】
本発明は、棚板用ブラケット及び商品陳列装置に係り、更に詳しくは、棚板を傾斜設置可能で、かつ、棚板のぐらつきを防止可能な棚板用ブラケット及び商品陳列装置に関する。
【背景技術】
【０００２】
従来、各種の日用品、雑貨あるいは書物等を載置可能な棚板を有する商品陳列装置は、一般に、支柱に対して棚板用ブラケットの高さが位置調整可能に支持されており、この棚板用ブラケットに適宜な係合構造を介して棚板が水平支持されている（特許文献１）。
【０００３】
また、近年、店舗等から棚板を傾斜支持したいとの要請があり、棚板を水平支持と傾斜支持を自在に変更可能な商品陳列装置及び棚板用ブラケットもある（特許文献２、３）。例えば、特許文献２に記載のブラケット（１３）であれば、ブラケット（１３）のフック（１７）、（１９）における外側の溝（１７Ａ）、（１９Ａ）が支柱（１１）における係合用穴（１６）の各下端縁に係合するようにし、ブラケット（１３）の上縁（１３Ａ）が次第に下方に向かう傾斜状態に支持される。この状態は該ブラケットにおいて傾斜角度が浅い状態である。具体的な記載はされていないが、該ブラケット（１３）においては更に傾斜角度を深くすることができ、フック（１７）の外側の溝（１７Ａ）とフック（１９）の内側の溝（１９Ｂ）を係合用穴（１６）の各下端縁に係合せることにより傾斜角度を深くすることできるものと推測される。
【０００４】
他方、該特許文献２には、ブラケット（１３）を水平支持する具体的な方法については開示されていないが、該ブラケット（１３）の構造を参照すると、フック（１７）の内側の溝（１７Ｂ）、フック（１８）の溝（１８Ａ）を係合用穴（１６）の各下端縁に係合することにより水平支持されるものと推測される。
【０００５】
同様に、特許文献３に記載の３つの係止爪からなる棚用ブラケット（Ｂ）における最大傾斜支持状態は、第１係止爪（１）の切欠部（１ｂ）、第２係止爪（２）の切欠部（２ａ）、第３係止爪（３）の切欠部（３ｂ）を取付孔（９）の各下端縁に係合した状態であり、他方、水平支持状態は、第１係止爪（１）の切欠部（１ａ）、第２係止爪（２）の切欠部（２ａ）、第３係止爪（３）の切欠部（３ａ）を取付孔（９）の各下端縁に係合した状態である。
【先行技術文献】
【特許文献】
【０００６】
【特許文献１】特開２００５−１９２７６５号公報
【特許文献２】特許２５４１４９６号公報
【特許文献３】特許４２３６７８８号公報
【発明の概要】
【発明が解決しようとする課題】
【０００７】
ところで、上述した特許文献２及び３に記載のブラケットのいずれも、３つのフック（係止爪）により棚板の水平支持状態と傾斜支持状態を実現できることから、使用する材料の量を減ずることができるとともに、係合孔に挿入するフック（係止爪）の数も少なくて済むことができ、使い勝手も良好である。しかしながら、いずれのブラケットも傾斜支持状態におけるブラケットと支柱との接触面はフック（１８）（第二係止爪）とフック（１９）（第三係止爪）との間の側面のみであり、同様に、水平支持状態における接触面は、フック（１７）（第一係止爪）とフック（１８）（第二係止爪）との間の側面のみであり、ブラケットを支柱に装着した際にぐらついたり、しっかりとブラケットが支柱に保持されていないといった問題が生じ得る（以上カッコ内の符号は各特許文献に使用された符号である）。
【０００８】
そこで、本発明は、このような問題を解決するためになされたものであり、その目的とするところは、棚板を水平支持及び傾斜支持する際のいずれにおいても支柱に取り付けた際にぐらつかず、しっかりと支柱に保持される棚板用ブラケット及び商品陳列装置を提供することにある。
【課題を解決するための手段】
【０００９】
前記の目的を達成するため、本発明に係る棚板用ブラケット７は、上縁側側面に設けられ棚板８を載置する棚板載置側面部７４と、棚板載置側面部７４に設けられ棚板８を取り付ける棚板取付部７３と、支柱２に設けられた複数の係合孔２１Ａに着脱自在に取り付け可能な支柱取付部７２とを備えるとともに、棚板８の水平支持及び傾斜支持を選択可能に構成された棚板用ブラケット７であって、棚板取付部７３は、棚板８の取付位置を変更可能な複数の溝部からなり、支柱取付部７２は、支柱２の上下方向に所定間隔離間して設けられた第１係止爪７２１、第２係止爪７２２及び第３係止爪７２３の３つの係止爪を備えており、第１係止爪７２１には、係合孔２１Ａの各下端縁に係合させるための２つの溝７２１Ａ，７２１Ｂが設けられ、第２係止爪７２２には、係合孔２１Ａの各下端縁に係合させるための１つの溝７２２Ａが設けられ、第３係止爪７２３には、係合孔２１Ａの各下端縁に係合させるための２つの溝７２３Ａ，７２３Ｂが設けられており、支柱２と対向する側面には、第１係止爪７２１の上方に形成された第１対向面７２Ａ、第１対向面７２Ａと面一であるとともに第１係止爪７２１と第２係止爪７２２間に形成された第２対向面７２Ｂ、第２係止爪７２２と第３係止爪７２３間に形成された第３対向面７２Ｃ、第３対向面７２Ｃと面一であるとともに第３係止爪７２３の下方に形成された第４対向面７２Ｄを備えており、棚板載置側面部７４は第１対向面７２Ａに対し垂直に設けられており、第３対向面７２Ｃは第２対向面７２Ｂに対し、支柱２から離間する方向に傾斜しており、棚板８を水平支持する際には第１対向面７２Ａと第２対向面７２Ｂとが支柱２に当接するとともに、第１係止爪７２１の溝７２１Ｂと第２係止爪７２２の溝７２２Ａと第３係止爪７２３の溝７２３Ａにより支柱２に係止され、棚板２を傾斜支持する際には第３対向面７２Ｃと第４対向面７２Ｄとが支柱２に当接するとともに、第１係止爪７２１の溝７２１Ａと第２係止爪７２２の溝７２２Ａと第３係止爪７２３の溝７２３Ｂにより支柱２に係止されるように構成されていることを特徴とする。
【００１０】
すなわち、本発明に係る棚板用ブラケット７は、第１対向面７２Ａ及び第２対向面７２Ｂの２つの面で支柱２に水平支持され、第３対向面７２Ｃ及び第４対向面７２Ｄの２つの面で支柱２に傾斜支持されるように構成されている。
【００１１】
また、本発明に係る商品陳列装置１は、前記棚板用ブラケット７を備えたことを特徴とする。
【００１２】
また、本発明の商品陳列装置１においては、棚板２の前方側には載置した商品が落下をするのを防止するための欄干９が取り付けられるように構成してもよい。
【００１３】
また、本発明の商品陳列装置１においては、棚板８の前方側には欄干９を取り付けるための複数の取付孔８３Ａを備えており、欄干９には取付孔８３Ａの個数に対応し先端側が取付孔８３Ａに挿入される複数の取付軸部９２を備えており、取付孔８３Ａの下方側には欄干９を挿入した際に取付軸部９２の先端側を受ける部材であって、取付軸部９２の先端側を受けることにより欄干９がぐらつくのを防止する欄干受プレート８３を備えていてもよい。
【発明の効果】
【００１４】
本発明に係る棚板用ブラケット７によれば、本発明に係る棚板用ブラケット７は、上縁側側面に設けられ棚板８を載置する棚板載置側面部７４と、棚板載置側面部７４に設けられ棚板８を取り付ける棚板取付部７３と、支柱２に設けられた複数の係合孔２１Ａに着脱自在に取り付け可能な支柱取付部７２とを備えるとともに、棚板８の水平支持及び傾斜支持を選択可能に構成された棚板用ブラケット７であって、棚板取付部７３は、棚板８の取付位置を変更可能な複数の溝部からなり、支柱取付部７２は、支柱２の上下方向に所定間隔離間して設けられた第１係止爪７２１、第２係止爪７２２及び第３係止爪７２３の３つの係止爪を備えており、第１係止爪７２１には、係合孔２１Ａの各下端縁に係合させるための２つの溝７２１Ａ，７２１Ｂが設けられ、第２係止爪７２２には、係合孔２１Ａの各下端縁に係合させるための１つの溝７２２Ａが設けられ、第３係止爪７２３には、係合孔２１Ａの各下端縁に係合させるための２つの溝７２３Ａ，７２３Ｂが設けられており、支柱２と対向する側面には、第１係止爪７２１の上方に形成された第１対向面７２Ａ、第１対向面７２Ａと面一であるとともに第１係止爪７２１と第２係止爪７２２間に形成された第２対向面７２Ｂ、第２係止爪７２２と第３係止爪７２３間に形成された第３対向面７２Ｃ、第３対向面７２Ｃと面一であるとともに第３係止爪７２３の下方に形成された第４対向面７２Ｄを備えており、棚板載置側面部７４は第１対向面７２Ａに対し垂直に設けられており、第３対向面７２Ｃは第２対向面７２Ｂに対し、支柱２から離間する方向に傾斜しており、棚板８を水平支持する際には第１対向面７２Ａと第２対向面７２Ｂとが支柱２に当接するとともに、第１係止爪７２１の溝７２１Ｂと第２係止爪７２２の溝７２２Ａと第３係止爪７２３の溝７２３Ａにより支柱２に係止され、棚板２を傾斜支持する際には第３対向面７２Ｃと第４対向面７２Ｄとが支柱２に当接するとともに、第１係止爪７２１の溝７２１Ａと第２係止爪７２２の溝７２２Ａと第３係止爪７２３の溝７２３Ｂにより支柱２に係止されるように構成した。これにより、棚板の水平支持状態では、第１対向面と第２対向面の２つの面を支柱に当接させた状態で支持が可能であり、同様に、棚板の傾斜支持状態では、第３対向面と第４対向面の２つの面を支柱に当接させた状態で支持が可能であることから、いずれの状態においても棚板用ブラケットのぐらつきを防止することができ、棚板用ブラケットは支柱にしっかりと保持されるといった効果を奏する。
【００１５】
また、本発明の商品陳列装置においては、前記棚板用ブラケットを備えていることから、棚板の水平支持状態及び傾斜支持状態のいずれにおいても、棚板用ブラケットが支柱にしっかりと保持された状態で商品の陳列が可能となる。
【図面の簡単な説明】
【００１６】
【図１】本発明に係る商品陳列装置の斜視図である。
【図２】本発明に係る棚板用ブラケットを示す図であり、（ａ）は正面図、（ｂ）は斜視図、（ｃ）は支柱取付部の拡大図である。
【図３】本発明に係る商品陳列装置の棚板を示す図であり、（ａ）は上面図、（ｂ）背面図、（ｃ）正面図、（ｄ）は側面図である。
【図４】本発明に係る商品陳列装置の棚板を示す図であり、（ａ）は図３（ｂ）のＡ−Ａ断面図、（ｂ）は上面側斜視図、（ｃ）は背面側斜視図である。
【図５】本発明に係る商品陳列装置の欄干を示す図であり、（ａ）は正面図、（ｂ）は背面図、（ｃ）は側面図、（ｄ）は斜視図である。
【図６】本発明に係る棚板用ブラケットの使用状態を説明するための模式図であり、（ａ）は水平支持状態の棚板用ブラケットの使用状態を示す図、（ｂ）は（ａ）における係止爪の係合状態を示す図、（ｃ）は傾斜支持状態の棚板用ブラケットの使用状態を示す図、（ｄ）は（ｃ）における係止爪の係合状態を示す図である。
【発明を実施するための形態】
【００１７】
以下、本発明を実施するための形態について、図面を参照しながら説明する。
【００１８】
図１に示すように、本実施形態の商品陳列装置１は、２つの支柱２，２、下側連結部材３、上側連結部材４、格子ネット５、２つの棚板用ブラケット７，７及び棚板８からなり、棚板８を水平支持状態と傾斜支持状態とに選択可能に構成されている。図１には２つの本発明の商品陳列装置１がキックプレート６により連設された状態が斜視図により図示されており、左側が傾斜支持状態、右側が水平支持状態である。以下各構成について説明するが、本発明の特徴部分については詳細に説明するが、その他の部分については簡略して説明する。
【００１９】
支柱２は、棚板用ブラケット７を取付ける支柱部２１と、これに連設された脚部２２からなり、支柱部２１の前面側には棚板用ブラケット７の係止爪（第１係止爪７２１、第２係止爪７２２、第３係止爪７２３）を挿入し係合するための係合孔２１Ａが上下方向に複数設けられている。
【００２０】
下側連結部材３は格子ネット５の下方側を、上側連結部材４は格子ネット５の上方側を保持する部材であり、格子ネット５の幅方向側は対向する支柱２，２により保持される。なお、支柱２、下側連結部材３、上側連結部材４及びキックプレート６はいずれもスチール製である。
【００２１】
次いで、図２を参照して棚板用ブラケット７の構成について説明する。棚板用ブラケット７は、スチール製であり、棚板８を受ける棚板受部７１と、支柱２に取り付けるための支柱取付部７２と、棚板受部７１の上縁側に第１対向面と垂直に設けられ棚板８を載置するための棚板載置側面部７４と、棚板受部７１の上縁側の棚板載置側面部７４に設けられ棚板８を取付けるための棚板取付部７３とからなる。
【００２２】
第１係止爪７２１には、係合孔２１Ａの各下端縁に係合させるための２つの溝７２１Ａ、７２１Ｂが設けられており、同様に第３係止爪７２３にも２つの溝７２３Ａ、７２３Ｂが設けられているが、第２係止爪７２２には溝は溝７２２Ａの１つだけである。これらの溝のいずれを係合孔２１Ａの各下端縁に係合させるかにより棚板用ブラケット７上の棚板８が水平支持されるか傾斜支持されるかが決まる。
【００２３】
また、支柱２と対向する側面には、第１係止爪７２１の上方に形成された第１対向面７２Ａ、第１対向面７２Ａと面一であるとともに第１係止爪７２１と第２係止爪７２２間に形成された第２対向面７２Ｂ、第２係止爪７２２と第３係止爪７２３間に形成された第３対向面７２Ｃ、第３対向面７２Ｃと面一であるとともに第３係止爪７２３の下方に形成された第４対向面７２Ｄを備えており、第３対向面７２Ｃは第２対向面７２Ｂに対し、支柱２から離間する方向に傾斜している。
【００２４】
棚板取付部７３は、棚板８のブラケット係止爪８２Ａを係合するための複数の溝部７３１Ａ、７３１Ｂ、７３１Ｃ、７３１Ｄが設けられており、ブラケット係止爪８２Ａを係合する溝を選択することにより棚板用ブラケット７上の棚板８の設置位置を変更することができる。
【００２５】
次いで、図３、図４を参照して棚板８の構成について説明する。棚板８は、スチール製であり、天板８１と、裏面側に設けられ天板８１を補強する２つの補強部８２、８２と、前方側に欄干９を取付けるために穿設された取付孔８３Ａ、８３Ａ、８３Ａと、各取付孔８３Ａの下方側に設けられ取付軸部９２、９２、９２の先端側を受ける部材であって、取付軸部９２、９２、９２の先端側を受けることにより欄干９がぐらつくのを防止する欄干受プレート８３を備えている。また、棚板８の後方側の両端には支柱２との形状的整合を図るべく切欠部８４、８４が設けられている。
【００２６】
また、後方側の補強部８２の両端側には、棚板取付部７３に設けられた溝部７３１Ａ、７３１Ｂ、７３１Ｃ、７３１Ｄと係合するブラケット係止爪８２Ａ、８２Ａが設けられている。このブラケット係止爪８２Ａ、８２Ａを係合する溝を変更することにより棚板用ブラケット７上の棚板８の設置位置を変更することができる。
【００２７】
次いで、図５を参照して欄干９の構成について説明する。欄干９は特に棚板８を傾斜支持した場合に、棚板８上に載置された商品が落下するのを防止する柵であり、横長状に形成された平行の３つの棒状部材からなる柵部９１と、柵部９１上に所定間隔離間して配設された取付軸部９２、９２、９２からなる。取付軸部９２は、柵部９１上に逆Ｕの字状に固着されており、一端が他端よりも長く形成され柵部９１下縁より下方に突出している。該一端をそれぞれ取付孔８３Ａに挿入すると、図４（ａ）に示す欄干プレート８３の凹部８３Ｂに該一端の先端が挿入され、これにより棚板８に取り付けられた欄干９は前後に転倒することなく軸支される。
【００２８】
次に、図６を参照して棚板８が水平支持された状態及び傾斜支持された状態について説明する。図６（ａ）は棚板８が水平支持された状態であり、同図（ｂ）は（ａ）における係止爪の係合状態を示している。同図（ｂ）を参照すると、各係合孔２１Ａ、２１Ａ、２１Ａに第１係止爪７２１、第２係止爪７２２、第３係止爪７２３をそれぞれ挿入し、第１係止爪７２１の溝７２１Ｂ、第２係止爪７２２の溝７２２Ａ、第３係止爪７２３の溝７２３Ａをそれぞれ挿入した係合孔２１Ａの下端縁に係合させる。すると、第１対向面７２Ａ及び第２対向面７２Ｂが支柱部２１に当接された状態で、棚板用ブラケット７の棚板８は水平支持される。
【００２９】
同様に、図６（ｃ）は棚板８が傾斜支持された状態であり、同図（ｄ）は（ｃ）における係止爪の係合状態を示している。同図（ｄ）を参照すると、各係合孔２１Ａ、２１Ａ、２１Ａに第１係止爪７２１、第２係止爪７２２、第３係止爪７２３をそれぞれ挿入し、第１係止爪７２１の溝７２１Ａ、第２係止爪７２２の溝７２２Ａ、第３係止爪７２３の溝７２３Ｂをそれぞれ挿入した係合孔２１Ａの下端縁に係合させる。すると、第３対向面７２Ｃ及び第４対向面７２Ｄが支柱部２１に当接された状態で、棚板用ブラケット７の棚板８は傾斜支持される。
【００３０】
以上のように、本発明に係る商品陳列装置を構成したことにより、棚板用ブラケット７は、棚板８を水平支持する場合には第１対向面及び第２対向面の２つの面で支柱に支持され、傾斜支持する場合には第３対向面及び第４対向面の２つの面で支柱に支持されることになるので、いずれの状態においても棚板用ブラケット７は、支柱２にぐらつかずに支持されることとなる。
【符号の説明】
【００３１】
１        商品陳列装置
２        支柱
２１      支柱部
２１Ａ    係合孔
２２      脚部
３        下側連結部材
４        上側連結部材
５        格子ネット
６        キックプレート
７        棚板用ブラケット
７１      棚板受部
７２      支柱取付部
７２Ａ    第１対向面
７２Ｂ    第２対向面
７２Ｃ    第３対向面
７２Ｄ    第４対向面
７２１    第１係止爪
７２１Ａ、７２１Ｂ  溝
７２２    第２係止爪
７２２Ａ  溝
７２３    第３係止爪
７２３Ａ、７２３Ｂ  溝
７３      棚板取付部
７３１Ａ、７３１Ｂ、７３１Ｃ、７３１Ｄ  溝部
７４    棚板載置側面部
８      棚板
８１    天板
８２    補強部
８２Ａ  ブラケット係止爪
８３    欄干受プレート
８３Ａ  取付孔
８４    切欠部
９      欄干
９１    柵部
９２    取付軸部
【要約】
【課題】棚板を水平支持する際も傾斜支持する際もしっかりと支柱に保持される棚板用ブラケット及び商品陳列装置を提供する。
【解決手段】本発明に係る商品陳列装置１は、第３対向面７２Ｃは第２対向面７２Ｂに対し、支柱２から離間する方向に傾斜しており、棚板８を水平支持する際には第１対向面７２Ａと第２対向面７２Ｂとが支柱２に当接し、棚板８を傾斜支持する際には第３対向面７２Ｃと第４対向面７２Ｄとが支柱２に当接するように構成された棚板用ブラケット７を備える。
【選択図】図６【図１】
0005472957.tif 000002
【図２】
0005472957.tif 000003
【図３】
0005472957.tif 000004
【図４】
0005472957.tif 000005
【図５】
0005472957.tif 000006
【図６】
0005472957.tif 000007